(57)【要約】【課題】計量を行うのとほぼ同時に、被検査物に含まれる各成分ごとの重量値や特定の成分の存在の有無を容易に確認することが可能な重量検査装置を提供する。【解決手段】重量検査装置１０では、被検査物Ｘの計量を行う計量部１２と、被検査物Ｘに対してテラヘルツ波を照射してその反射波を吸収スペクトルとして検出する検査ユニット１１と、検査ユニット１１において取得された吸収スペクトルと各成分のスペクトルデータとを比較して、被検査物Ｘに含まれる各成分の含有比率を算出する含有比率算出部３１と、を備えている。【選択図】図３
2008309725.tif 000002
【特許請求の範囲】
【請求項１】
被検査物の全体重量を計測する計量部と、
前記被検査物に対してテラヘルツ波を照射し、前記テラヘルツ波の透過量あるいは反射量を、複数の波長成分を含む分光スペクトルとして検出する分光部と、
前記分光部において得られた前記分光スペクトルと、複数の成分に対応するスペクトルデータとを比較して、前記被検査物に含まれる各成分の含有比率を算出する含有比率算出部と、
を備えている重量検査装置。
【請求項２】
前記計量部における計量結果と前記含有比率算出部における算出結果とに基づいて、前記被検査物に含まれる各成分の重量値を算出する成分重量算出部を、
さらに備えている、
請求項１に記載の重量検査装置。
【請求項３】
前記計量部は、前記分光部を覆う筐体の内部に設けられている、
請求項１または２に記載の重量検査装置。
【請求項４】
前記分光部は、前記計量部の上方あるいは側方に配置されている、
請求項１または２に記載の重量検査装置。
【請求項５】
前記複数の成分のスペクトルデータを記憶する記憶部を、さらに備えている、
請求項１から４のいずれか１項に記載の重量検査装置。
【請求項６】
前記被検査物は、食品あるいは薬品である、
請求項１から５のいずれか１項に記載の重量検査装置。
【請求項７】
前記被検査物は、液体あるいは粉体である、
請求項１から６のいずれか１項に記載の重量検査装置。
【発明の詳細な説明】
【技術分野】
【０００１】
本発明は、例えば、食品や薬品等のような特定の比率で所定の成分が含まれる被検査物の各成分ごとの重量を、非破壊検査によって実施することが可能な重量検査装置に関する。
【背景技術】
【０００２】
近年、食品等の商品の検査を行うために、電磁波や放射線等を被検査物に対して照射して、その反射光あるいは透過光を検出することで、異物混入等の検査を行う検査装置が用いられている。
【０００３】
例えば、特許文献１には、食品等の被検査物の重量を計測するはかりに、被検査物に含まれる放射線量を検出する放射線検出手段を搭載した放射能検出内蔵はかりが開示されている。この装置では、放射能に汚染された食品等を、計量を行うと同時に判別することで、放射能に汚染された食品等が食されることを未然に防止することができる。
【特許文献１】特開２００２−５２０５９３号公報（平成９年１０月９日公開）
【発明の開示】
【発明が解決しようとする課題】
【０００４】
しかしながら、上記従来の放射能検出器内蔵はかりでは、以下に示すような問題点を有している。
【０００５】
すなわち、上記公報に開示された装置は、食品等の放射能汚染の有無を検査するための装置であるため、例えば、食品等に含まれる各種成分の重量値等を算出したり、特定の成分の存在の有無を確認したりすることはできない。
【０００６】
本発明の課題は、計量を行うのとほぼ同時に、被検査物に含まれる各成分ごとの重量値や特定の成分の存在の有無を容易に確認することが可能な重量検査装置を提供することにある。
【課題を解決するための手段】
【０００７】
第１の発明に係る重量検査装置は、計量部と、分光部と、含有比率算出部と、を備えている。計量部は、被検査物の全体重量を計測する。分光部は、被検査物に対してテラヘルツ波を照射し、テラヘルツ波の透過量あるいは反射量を、複数の波長成分を含む分光スペクトルとして検出する。含有比率算出部は、分光部において得られた分光スペクトルと、複数の成分に対応するスペクトルデータとを比較して、被検査物に含まれる各成分の含有比率を算出する。
【０００８】
ここでは、複数の成分を含む被検査物の各成分ごとの重量値を非破壊で自動的に算出するために、分光部において被検査物に対して照射されたテラヘルツ波を分光スペクトルとして検出し、予め用意されている複数の成分ごとのスペクトルデータと比較して、各成分ごとの含有比率を算出する。
【０００９】
なお、上記計量部における被検査物の計量は、分光部によるテラヘルツ波の照射よりも前の段階で行われてもよいし、テラヘルツ波の照射と並行して行われてもよい。また、含有比率算出部による各成分の含有比率を算出するために用いられる各成分に対応するスペクトルデータは、予めデータベース内にあるものを用いてもよいし、被検査物の検査を行うごとに新たに取得したデータを用いてもよい。さらに、分光部は、テラヘルツ波を照射する光源と別々に設けられていてもよい。また、上記テラヘルツ波は、０．３〜１０．０ＴＨｚの周波数を持つ電磁波である。
【００１０】
これにより、計量部上に被検査物を載せるだけで、商品の価値を損なうことなく被検査物に含まれる複数の成分の含有比率に基づいて各成分の重量値を算出したり、特定の成分の存在の有無を確認したりすることができる。よって、例えば、ビタミン剤等の錠剤に含まれる各成分量の検査等を、非破壊で実施することができる。この結果、生産ライン上を流れる商品１個ずつを取り出して検査する必要がないため、非破壊検査による全量検査を自動的に効率よく実施することが可能になる。
【００１１】
第２の発明に係る重量検査装置は、第１の発明に係る重量検査装置であって、計量部における計量結果と含有比率算出部における算出結果とに基づいて、被検査物に含まれる各成分の重量値を算出する成分重量算出部を、さらに備えている。
【００１２】
ここでは、被検査物の実際の重量値と含有比率とを乗じて、被検査物に含まれる成分ごとの重量値を算出する。
【００１３】
これにより、複数の成分を含む被検査物について、成分ごとの重量値を実際に算出することができる。この結果、例えば、ビタミン剤等に含まれているはずの成分が、所定の範囲内ずつ混入しているか否か等の検査を容易に行うことができる。
【００１４】
第３の発明に係る重量検査装置は、第１または第２の発明に係る重量検査装置であって、計量部は、分光部を覆う筐体の内部に設けられている。
【００１５】
ここでは、分光部の外郭を構成する筐体の内部に、計量部を設けている。
【００１６】
これにより、分光部の筐体内に配置された計量部上に被検査物を載せるだけで、被検査物の計量値を得ることができるとともに、同時に、分光部において照射されたテラヘルツ波の透過光等の分光スペクトルを検出することで、被検査物に含まれる複数の成分ごとの重量値を得ることができる。この結果、簡易な構成によって、被検査物全体の重量値と、これに含まれる複数の成分ごとの重量値とを、容易に得ることができる。
【００１７】
第４の発明に係る重量検査装置は、第１または第２の発明に係る重量検査装置であって、分光部は、計量部の上方あるいは側方に配置されている。
【００１８】
ここでは、被検査物の計量を行う計量部の上方あるいは側方等の近傍に、被検査物に対してテラヘルツ波を照射して分光スペクトルを検出する分光部を配置している。
【００１９】
これにより、計量部上に被検査物を載せるだけで、被検査物の計量値を得ることができるとともに、同時に、計量部の近傍に配置された分光部において照射されたテラヘルツ波の透過光等の分光スペクトルを検出することで、被検査物に含まれる複数の成分ごとの重量値を得ることができる。この結果、簡易な構成によって、被検査物全体の重量値と、これに含まれる複数の成分ごとの重量値とを、容易に得ることができる。
【００２０】
第５の発明に係る重量検査装置は、第１から第４の発明のいずれか１つに係る重量検査装置であって、複数の成分のスペクトルデータを記憶する記憶部を、さらに備えている。
【００２１】
ここでは、分光部において取得される被検査物の分光スペクトルとの比較に用いられるたくさんの成分に対応するスペクトルデータを、データベースとして記憶する記憶部をさらに備えている。
【００２２】
これにより、分光部において取得された被検査物の分光スペクトルに対して、記憶部に格納されているたくさんのスペクトルデータの中からその被検査物に含まれる成分のスペクトルデータを自動的に選択して、各成分の含有比率を得ることができる。この結果、被検査物として幅広い物質を用いて検査を行う場合にも対応可能となり、高精度な重量検出を行うことができる。
【００２３】
第６の発明に係る重量検査装置は、第１から第５の発明のいずれか１つに係る重量検査装置であって、被検査物は、食品あるいは薬品である。
【００２４】
ここでは、検査対象物として、例えば、野菜、果物、お惣菜、袋詰製品やビタミン剤等の錠剤を含む食品や薬品を用いている。
【００２５】
これにより、例えば、菓子製品の味付け用添加成分や、ビタミン剤等の錠剤に含まれる各含有成分の量が所定の範囲内であるか否か等の検査を、高精度かつ容易に行うことができる。
【００２６】
第７の発明に係る重量検査装置は、第１から第６の発明のいずれか１つに係る重量検査装置であって、被検査物は、液体あるいは粉体である。
【００２７】
ここでは、検査対象となる物質として、液体や粉体のものを用いている。
【００２８】
これにより、固定物と異なり、検査される際に形状が変わる液体や粉体の被検査物であっても、被検査物に含まれる成分ごとの重量値を、高精度に検出することができる。
【発明の効果】
【００２９】
本発明の重量検査装置によれば、計量部上に被検査物を載せるだけで、商品の価値を損なうことなく被検査物に含まれる複数の成分の重量値や存在の有無を容易に確認することができるため、例えば、菓子製品の味付け用添加成分や、ビタミン剤等の錠剤に含まれる各成分量の検査等を、非破壊で自動的に実施することができる。
【発明を実施するための最良の形態】
【００３０】
本発明の一実施形態に係る重量検査装置１０について、図１〜図８を用いて説明すれば以下の通りである。
【００３１】
［重量検査装置１０全体の構成］
本実施形態に係る重量検査装置１０は、図１および図２に示すように、被検査物Ｘの計量を行うとともに、被検査物Ｘに含まれる複数の成分の含有比率および重量値を算出する装置であって、主として、検査ユニット（分光部）１１と、計量部１２と、表示部１５と、制御部２０と、を備えている。
【００３２】
なお、本実施形態において被検査物Ｘとして用いる物質は、固体物の食品であるものとする。
【００３３】
検査ユニット１１は、被検査物Ｘが載置される計量台１２ａの上方に、筐体１１ａに支持された状態で配置されており、被検査物Ｘに対して電磁波の一種であるテラヘルツ波を照射し、その反射波を複数の波長成分を含む吸収スペクトルとして検出する検査装置である。また、検査ユニット１１は、内部に、テラヘルツ波照射部１３と、テラヘルツ波検出部１４と、を有している。
【００３４】
テラヘルツ波照射部１３は、計量台１２ａ上に載置された被検査物Ｘに対して、上方からテラヘルツ波を照射する。
【００３５】
テラヘルツ波検出部１４は、テラヘルツ波照射部１３から被検査物Ｘに対して照射されたテラヘルツ波の反射波を、複数の波長成分を含む吸収スペクトルとして検出し、後述する制御部２０に対して検出結果を送信する。
【００３６】
計量部１２は、内部にロードセル（図示せず）を搭載した計量装置であって、計量台１２ａ上に載置された被検査物Ｘの計量を行う。また、計量部１２は、制御部２０に対して被検査物Ｘごとの計量結果を送信する。
【００３７】
表示部１５は、タッチパネル式のＬＣＤモニタであって、制御部２０によって制御されており、計量部１２から制御部２０に対して送られた計量結果および各成分の重量値等を表示する（図４（ａ）および図４（ｂ）参照）。また、表示部１５は、表示画面１５ａを介して直接入力された情報を制御部２０に対して送信する。
【００３８】
制御部２０は、計量部１２やテラヘルツ波照射部１３、テラヘルツ波検出部１４、表示部１５等と接続されており、後述する機能ブロック３０を形成して、被検査物Ｘの成分検査を行う。なお、この制御部２０については、後段にて詳述する。
【００３９】
［制御部２０］
制御部２０は、図２に示すように、ＣＰＵ２１とともに、このＣＰＵ２１によって制御される主記憶部としてＲＯＭ２２、ＲＡＭ２３、およびＣＦ（コンパクトフラッシュ（登録商標））（記憶部）２５を搭載している。
【００４０】
ＣＦ２５には、計量台１２ａ上に載置された被検査物Ｘに含まれる複数の成分ごとの吸収スペクトルデータ２５ａ（図６参照）や、被検査物Ｘの検査結果を記憶する検査結果ログファイル２５ｂ等が格納されている。
【００４１】
そして、制御部２０では、ＣＰＵ２１がこれらの記憶部に格納されている検査プログラム等の各種プログラムを読み込んで機能ブロック３０（図３参照）を形成することで、被検査物Ｘに含まれる複数の成分検査を実行する。
【００４２】
また、制御部２０は、表示部１５におけるデータ表示を制御する表示制御回路、表示部１５のタッチパネルからのキー入力データを取り込むキー入力回路、図示しないプリンタにおけるデータ印字の制御等を行うためのＩ／Ｏポート、外部入力端子としてのＵＳＢ等を備えている。なお、上述した機能ブロック３０については、後段にて詳述する。
【００４３】
ＣＰＵ２１、ＲＯＭ２２、ＲＡＭ２３、ＣＦ２５等の記憶部には、上述した各種プログラムや被検査物Ｘに含まれる複数の成分ごとのスペクトルデータ２５ａ等が格納されており、アドレスバス，データバス等のバスラインを介して相互に接続されている。
【００４４】
また、制御部２０は、計量部１２、テラヘルツ波照射部１３、テラヘルツ波検出部１４と接続されており、計量部１２における計量結果や、テラヘルツ波検出部１４における検出結果等を受信して、後述する成分検査を行う。
【００４５】
［機能ブロック３０］
制御部２０において形成される機能ブロック３０は、図３に示すように、含有比率算出部３１と、成分重量算出部３２と、判定部３３と、を含むように構成されている。
【００４６】
なお、本実施形態では、図６に示すように、被検査物Ｘがポリエチレンとグルコースという２つの成分によって構成されている場合について説明する。
【００４７】
含有比率算出部３１は、まず、検査ユニット１１に含まれるテラヘルツ波検出部１４において検出された複数の波長成分を含む吸収スペクトルのデータ（図５参照）と、予めＣＦ２５に格納されている成分ごとのスペクトルデータ２５ａ（図６参照）とを比較する。そして、各成分のスペクトルデータ２５ａを何％ずつ含有すると、テラヘルツ波検出部１４において検出された吸収スペクトルのグラフになるのかを計算する。具体的には、被検査物Ｘに含まれる２つの成分（ポリエチレン、グルコース）を示すスペクトルを何％ずつ合成すれば、テラヘルツ波検出部１４において検出された吸収スペクトルを示すグラフになるのかを算出する。例えば、グルコースの吸収スペクトルの最も大きなピークである波数（ｃｍ-1）が９０程度の位置では、吸収度が８．０近くまで達している。一方、ポリエチレンについては、同じ波数が９０程度の位置では、吸収度が０．２くらいになっている。そして、被検査物Ｘの吸収スペクトルは、図５に示すように、波数９０程度の位置では、０．６程度になっている。この結果、ポリエチレンの含有比率９５．０％、グルコースの含有比率５．０％として合成すると、波数９０付近の吸収度が０．６程度となり、図７に示すように、テラヘルツ波検出部１４において検出された被検査物Ｘの吸収スペクトル（図５参照）を形成することができることが分かる。
【００４８】
成分重量算出部３２は、含有比率算出部３１において算出された各成分の含有比率（ポリエチレン９５．０％、グルコース５．０％）を用いて、計量部１２において計量された被検査物Ｘの総重量を用いて、各成分ごとの重量値を算出する。例えば、被検査物Ｘの計量値が１００ｍｇであった場合には、ポリエチレン９５．０ｍｇ、グルコース５．０ｍｇという計量値が得られる。
【００４９】
判定部３３は、含有比率算出部３１あるいは成分重量算出部３２において算出された被検査物Ｘに含まれる各成分の含有比率あるいは重量値に基づいて、これらの値が所定の範囲内であるか否かを判定する。例えば、被検査物Ｘとしてビタミン剤等の錠剤を用いた場合には、含有成分が所定量含有されているか否かの検査を容易に行うことができる。また、被検査物Ｘとして袋詰の食料品等を用いた場合にも、その中に含まれる含有成分が混入しているか否かを、その成分が吸収スペクトルとして現れるか否かに応じて、容易に判定することができる。
【００５０】
＜被検査物Ｘに含まれる成分検査の方法＞
本実施形態では、上述した構成を用いて、図８に示すフローチャートに従って、被検査物Ｘに含まれる成分検査を行う。
【００５１】
すなわち、まず、ステップＳ１では、計量部１２の計量台１２ａ上に被検査物Ｘを載置して、被検査物Ｘの計量を行う。なお、このステップＳ２からステップＳ４を行う間は、表示部１５の表示画面１５ａには、図４（ａ）に示すような「調査中」の表示がされる。
【００５２】
次に、ステップＳ２では、計量台１２ａの上方に設置されたテラヘルツ波照射部１３から被検査物Ｘに対してテラヘルツ波を照射する。
【００５３】
次に、ステップＳ３では、テラヘルツ波検出部１４において、被検査物Ｘからの反射波を吸収スペクトルとして検出する。
【００５４】
次に、ステップＳ４では、予め記憶部（ＣＦ２５）に格納されている複数の成分に対応するスペクトルデータ２５ａの中から、被検査物Ｘに含まれると推定される成分のスペクトルデータ２５ａを取り出して、テラヘルツ波検出部１４における検出結果と比較する。
【００５５】
次に、ステップＳ５では、ＣＦ２５から取り出された各成分の含有比率を算出する。ここで、仮に、取り出した成分のスペクトルデータ２５ａと被検査物Ｘからの反射波の吸収スペクトルとを比較して、特定の成分の波長の影響が大きい場合には、この特定の成分のスペクトルデータ２５ａを主成分とし、他の成分のスペクトルデータ２５ａとを組み合わせることで、検出された吸収スペクトルのグラフを形成していく。
【００５６】
次に、ステップＳ６では、ステップＳ５において算出された各成分の含有比率と、ステップＳ１において取得された計量値とを用いて、各成分ごとの重量値を算出する。例えば、本実施形態の場合、被検査物Ｘの総重量が１００ｍｇであって、グルコースとポリエチレンの含有比率が５：９５である。このため、各成分の重量値は、グルコース５．０ｍｇ、ポリエチレン９５．０ｍｇと算出される。なお、このとき、表示部１５の表示画面１５ａには、図４（ｂ）に示すように、被検査物Ｘの品名、総重量値、各成分の重量値等が表示される。
【００５７】
次に、ステップＳ７では、ステップＳ５およびステップＳ６において算出された各成分の含有比率あるいは重量値が所定の範囲内であるか否かを判定する。ここで、これらの含有比率や重量値が、商品としての被検査物Ｘごとに定められた所定の範囲内にある場合には、ステップＳ８へ進み、正常品として判定される。一方、ここで、所定の範囲外である場合には、ステップＳ９へと進み、不良品として判定される。なお、このような被検査物Ｘの検査結果は、上述した制御部２０内の記憶部（ＣＦ２５）内に、検査結果ログファイル２５ｂとして記憶される。
【００５８】
本実施形態では、以上のように、計量部１２の計量台１２ａ上に被検査物Ｘを載置するだけで、そのまま被検査物Ｘの総重量値とともに、含有されている各成分の含有比率と重量値とを容易に算出することができる。このため、生産ライン等に組み込んで使用した場合には、大量の被検査物Ｘに対して効率よく非破壊での成分検査を実施することができる。
【００５９】
［本重量検査装置１０の特徴］
（１）
本実施形態の重量検査装置１０では、図１および図２に示すように、被検査物Ｘの計量を行う計量部１２と、被検査物Ｘに対してテラヘルツ波を照射してその反射波を吸収スペクトルとして検出する検査ユニット１１と、図３に示すように、検査ユニット１１において取得された吸収スペクトルと各成分のスペクトルデータ２５ａとを比較して、被検査物Ｘに含まれる各成分の含有比率を算出する含有比率算出部３１と、を備えている。
【００６０】
これにより、被検査物Ｘの総重量値を計量によって取得し、さらにテラヘルツ波の反射波の検出により吸収スペクトルを取得して被検査物Ｘに含まれる各成分のスペクトルデータ２５ａと比較することで、容易に各成分の含有比率を算出することができる。
【００６１】
この結果、被検査物Ｘの生産ラインにおいて、上記含有比率の値が適正な範囲内であるか否かを判定することで、被検査物Ｘの非破壊による全量検査を容易に実施することが可能になる。
【００６２】
（２）
本実施形態の重量検査装置１０では、図３に示すように、上述した含有比率算出部３１において算出された被検査物Ｘに含まれる複数の成分の含有比率と、計量部１２において計量された計量値とを用いて、各成分の重量値を算出する。
【００６３】
これにより、被検査物Ｘに含まれる複数の成分ごとの重量値を、被検査物Ｘの総重量値と含有比率とを用いて、容易に算出することができる。この結果、含有比率だけでなく、各成分の重量まで算出して、成分ごとの重量値が適正であるか否かを、非破壊検査として実施することができる。
【００６４】
（３）
本実施形態の重量検査装置１０では、図１に示すように、計量部１２は、計量部１２の上方に配置された検査ユニット１１を支持する筐体１１ａの内部に配置されている。
【００６５】
これにより、筐体１１ａ内における計量台１２ａ上に被検査物Ｘを載置するだけで、計量部１２によって被検査物Ｘの計量を行いながら、テラヘルツ波の反射光を検出して、被検査物Ｘに含まれる各成分の含有比率を算出することができる。
【００６６】
（４）
本実施形態の重量検査装置１０では、図１に示すように、被検査物Ｘに対してテラヘルツ波を照射、その反射波を検出する検査ユニット１１は、計量部１２の上方に配置されている。
【００６７】
これにより、被検査物Ｘの計量とテラヘルツ波の照射、検出による成分比率の算出とを、ほぼ同時に実施することができる。この結果、被検査物Ｘの生産ラインに設置された場合でも、非破壊での成分検査を効率よく実施することができる。
【００６８】
（５）
本実施形態の重量検査装置１０では、図２に示すように、被検査物Ｘに含まれる複数の成分に対応するスペクトルデータ２５ａを、予め制御部２０内の記憶部であるＣＦ２５内に格納している。
【００６９】
これにより、被検査物Ｘの吸収スペクトルを取得して、記憶部（ＣＦ２５）内のスペクトルデータ２５ａを参照することで、容易に各成分の含有比率を算出することができる。
【００７０】
（６）
本実施形態の重量検査装置１０では、被検査物Ｘとして固体物の食品を用いている。
【００７１】
これにより、食品に含まれる各成分の表示と、実際の含有比率や含有重量とが一致するか否かの検査を容易に実施して、成分表示とは異なる不良品を排除することができる。
【００７２】
［他の実施形態］
以上、本発明の一実施形態について説明したが、本発明は上記実施形態に限定されるものではなく、発明の要旨を逸脱しない範囲で種々の変更が可能である。
【００７３】
（Ａ）
上記実施形態では、図３等に示すように、重量検査装置１０において、被検査物に含まれる各成分の含有比率を求めた後、各成分の重量値を算出する例を挙げて説明した。しかし、本発明はこれに限定されるものではない。
【００７４】
例えば、各成分の重量値までの算出は行わずに、各成分の含有比率までを求めるだけの検査装置であってもよい。
【００７５】
この場合には、例えば、袋詰食品内の含有成分を容易に検出することができるため、被検査物の計量と同時に不純物混入検査を実施することができる。さらに、この場合には、ビタミン剤等に含まれる各種成分の含有比率が所定の範囲内であるか否かを容易に検査することができるため、ビタミン剤等のような含有比率が決められた商品の不良品を容易に検出することができる。
【００７６】
（Ｂ）
上記実施形態では、計量部１２の計量台１２ａ上に被検査物Ｘを載置して、静止させた状態で被検査物Ｘの計量を行いながら、テラヘルツ波の照射、検出を行うことで成分検査を行う例を挙げて説明した。しかし、本発明はこれに限定されるものではない。
【００７７】
例えば、図９および図１０に示すように、被検査物Xを所定の方向に搬送する搬送部１１２を備えた重量検査装置１１０を用いてもよい。この場合には、被検査物Ｘを搬送部１１２によって筐体１１１内において所定の方向へ搬送しながらテラヘルツ波を照射してその反射波を検出し、筐体１１１内における搬送部１１２の所定の位置に配置された計量部１１４によって被検査物Ｘの計量を行う。これにより、被検査物Ｘを所定の方向へ搬送しながら被検査物Ｘの成分検査を行うことができる。
【００７８】
（Ｃ）
上記実施形態では、２つの成分（ポリエチレン、グルコース）からなる被検査物Ｘを用いて成分検査を行う例を挙げて説明した。しかし、本発明はこれに限定されるものではない。
【００７９】
例えば、図１１に示すように、３種類以上の成分１〜３を含む被検査物を用いて、成分検査を行ってもよい。この場合には、ＣＦ等の記憶部に格納された３種類以上の成分の吸収スペクトルデータを参照して、各成分の含有比率や重量値を算出すればよい。
【００８０】
さらには、図１１に示すように、表示画面１１５ａの右上に、成分２の混入比率が本来１０％であるところ１５％含まれているということで、不良判定を表示するようにしてもよい。
【００８１】
（Ｄ）
上記実施形態では、被検査物Ｘとして、固体物を用いて成分検査を行う例を挙げて説明した。しかし、本発明はこれに限定されるものではない。
【００８２】
例えば、図１２（ａ）に示すように、被検査物Ｘ１として液体のものを用いて成分検査を実施することもできるし、図１２（ｂ）に示すように、被検査物Ｘ２として粉体のものを用いて成分検査を実施することも可能である。
【００８３】
この場合には、被検査物の形態に合わせて、適切な波長を照射して検査を実施することが好ましい。
【００８４】
（Ｅ）
上記実施形態では、図２に示すように、被検査物Ｘに含まれる各成分のスペクトルデータ２５ａを、予めＣＦ２５等の記憶部に格納している例を挙げて説明した。しかし、本発明はこれに限定されるものではない。
【００８５】
例えば、被検査物の検査を実施する際に外部から取得した成分ごとのスペクトルデータを用いて成分検査を行ってもよい。
【００８６】
（Ｆ）
上記実施形態では、テラヘルツ波照射部１３およびテラヘルツ波検出部１４を格納した検査ユニット１１が、被検査物Ｘの計量を行う計量部１２の上方に配置された例を挙げて説明した。しかし、本発明はこれに限定されるものではない。
【００８７】
例えば、テラヘルツ波照射部やテラヘルツ波検出部が、被検査物の計量を行う計量部の側方に配置された構成であってもよい。
【００８８】
（Ｇ）
上記実施形態では、テラヘルツ波照射部１３から被検査物Ｘに対して照射されたテラヘルツ波の反射波を、テラヘルツ波検出部１４において検出する例を挙げて説明した。しかし、本発明はこれに限定されるものではない。
【００８９】
例えば、テラヘルツ波照射部から被検査物に対して照射されたテラヘルツ波の透過波を検出するように、計量部の下方にテラヘルツ波検出部を配置してもよい。
【００９０】
あるいは、テラヘルツ波照射部を被検査物の側方に配置して、その対向側に透過波を検出するためのテラヘルツ波検出部を配置してもよい。
【００９１】
（Ｈ）
上記実施形態では、波長が０．３Ｔ〜１０．０Ｔ（Ｈｚ）のテラヘルツ波を用いて成分検査を行う例を挙げて説明した。しかし、本発明はこれに限定されるものではない。
【００９２】
例えば、波長の大きさが異なるミリ波やサブミリ波、赤外線、Ｘ線等を用いて、成分検査を行ってもよいし、それらを組み合わせて実施してもよい。
【産業上の利用可能性】
【００９３】
本発明の重量検査装置は、計量部上に被検査物を載せるだけで、商品の価値を損なうことなく被検査物に含まれる複数の成分の重量を容易に得ることができるため、例えば、袋詰商品の中に含まれる特定成分検査や、ビタミン剤等の錠剤に含まれる各成分量の検査等を、非破壊で自動的に実施することができるという効果を奏することから、放射線を含む電磁波等を照射し、その透過光／反射光を検出して検査を行う各種検査装置に対して広く適用可能である。
【図面の簡単な説明】
【００９４】
【図１】本発明の一実施形態に係る重量検査装置全体の構成を示す斜視図。
【図２】図１の重量検査装置の内部に構成される制御ブロックの構成を示すブロック図。
【図３】図２の制御部において形成される機能ブロックを示すブロック図。
【図４】（ａ），（ｂ）は、図１の重量検査装置のモニタ部分に表示される表示画面を示す正面図。
【図５】図１の重量検査装置によって取得されたと被検査物の波長成分ごとの吸収スペクトルを示すグラフ。
【図６】図１の重量検査装置に予め格納されている被検査物に含まれる複数の成分に関する波長成分ごとの吸収スペクトルを示すグラフ。
【図７】図５および図６のグラフに基づいて、被検査物に含まれる複数の成分の含有比率を算出するためのグラフ。
【図８】図１の重量検査装置による成分検査の流れを示すフローチャート。
【図９】本発明の他の実施形態に係る重量検査装置全体の構成を示す斜視図。
【図１０】図８の重量検査装置における内部構成を示す正面断面図。
【図１１】本発明のさらに他の実施形態に係る重量検査装置のモニタ部分に表示される表示画面を示す正面図。
【図１２】（ａ），（ｂ）は、本発明のさらに他の実施形態に係る重量検査装置において検査される被検査物の形態を示す斜視図。
【符号の説明】
【００９５】
１０      重量検査装置
１１      検査ユニット（分光部）
１１ａ    筐体
１２      計量部
１３      テラヘルツ波照射部
１４      テラヘルツ波検出部
１５      表示部
１５ａ    表示画面
２０      制御部
２１      ＣＰＵ
２２      ＲＯＭ
２３      ＲＡＭ
２５      ＣＦ（コンパクトフラッシュ（登録商標））
２５ａ    成分ごとの吸収スペクトルデータ
２５ｂ    検査結果ログファイル
３０      機能ブロック
３１      含有比率算出部
３２      成分重量算出部
３３      判定部
１１０      重量検査装置
１１１      筐体
１１２      搬送部
１１４      計量部
Ｘ      被検査物
【図１】
2008309725.tif 000003
【図２】
2008309725.tif 000004
【図３】
2008309725.tif 000005
【図４】
2008309725.tif 000006
【図５】
2008309725.tif 000007
【図６】
2008309725.tif 000008
【図７】
2008309725.tif 000009
【図８】
2008309725.tif 000010
【図９】
2008309725.tif 000011
【図１０】
2008309725.tif 000012
【図１１】
2008309725.tif 000013
【図１２】
2008309725.tif 000014